(57)【要約】【課題】装置の低廉化、折り込み品質の向上及び生産性の向上が図れる。【解決手段】ワイシャツ３が掛けられたハンガー２を吊るすフック１６を上端に有する背当て板１５と、ワイシャツ３の前側を背当て板１５に押し付ける位置決め部材２３と、折り込まれた袖部分を押さえる袖押さえ部１７とを備えたシャツ類の包装機において、背当て板１５の両側に該背当て板１５に沿って配設された一対の肩裾折りアーム３０Ａ、３０Ｂと、肩裾折りアーム３０Ａ、３０Ｂをそれぞれ背当て板１５の前方側より後方側に移動させる肩折りアーム移動駆動シリンダ３６、３６と、肩裾折りアーム３０Ａ、３０Ｂをそれぞれ背当て板１５の裏面側に回転させる肩折りアーム回転駆動シリンダ４３、４３とを有する。【選択図】      図１
2005132408.tif 000002
【特許請求の範囲】
【請求項１】
シャツ類が掛けられたハンガーを吊るすフックを上端に有する背当て板と、シャツ類の前側を前記背当て板に押し付ける位置決め手段と、折り込まれた袖部分を押さえる袖押さえ手段とを備えたシャツ類の包装機において、前記背当て板の両側に該背当て板に沿って配設された一対の肩裾折りアームと、この一対の肩裾折りアームをそれぞれ前記背当て板の前方側より後方側に移動させる一対の肩折りアーム移動駆動手段と、前記一対の肩裾折りアームをそれぞれ前記背当て板の裏面側に回転させる一対の肩折りアーム回転駆動手段とを有することを特徴とするシャツ類の包装機。
【請求項２】
前記肩裾折りアームは、上方部に前記背当て板の側面と平行に伸びた肩折り部と、この肩折り部の下方の裾折り部とからなることを特徴とする請求項１記載のシャツ類の包装機。
【発明の詳細な説明】
【技術分野】
【０００１】
本発明は、ワイシャツやブラウス等の包装機に関する。
【背景技術】
【０００２】
従来、ワイシャツ類の包装機として、例えば特許文献１に示すものが知られている。この包装機は、ワイシャツが掛けられたハンガーを吊るすフックを有する背当て板と、ワイシャツの肩部分を保持する一対のクリップと、ワイシャツの袖部分を前記背当て板の背面側に折り込む一対の肩折りアームと、ワイシャツの前面を背当て板に押し付ける位置決めアームと、前記一対の肩折りアームで折り込まれた袖部分を押さえる袖押さえアームと、ワイシャツの裾部分を折り込む一対の裾折りアームとを少なくとも備えている。
【０００３】
前記包装機においては、ワイシャツの袖部分と裾部分（前見頃部）の側方を背中（後見頃部）側に折り畳む作用は次のように行われる。ワイシャツの肩部分を横方向に引っ張りながら背中側に回してクリップに差し込んで肩部分が下がらないように固定する。この状態で一方の肩折りアームが回動してワイシャツの一方の袖部分を背当て板を基準にして背中側に折り込む。その際、一方のクリップに固定された肩部分がクリップから外れる。続いて他方の肩折りアームが回動して前記と同様に他方の袖部分を折り込む。その後に一対の裾折りアームが作動してワイシャツの裾部分を背当て板を基準にして背中に折り込む。これによりワイシャツの両側方を背中側に折り込むことができる。
【０００４】
【特許文献１】実用新案登録第３０３８４２７号公報
【発明の開示】
【発明が解決しようとする課題】
【０００５】
上記従来技術は、次のような問題があった。第１に、一対のクリップ、一対の肩折りアーム、一対の裾折りアーム及び前記一対の肩折りアームをそれぞれ駆動する一対の肩折りアーム用駆動手段、前記一対の裾折りアームを駆動する裾折りアーム用駆動手段を有するので、高価な装置となる。第２に、肩折りアーム及び裾折りアームは、単に回動してワイシャツの袖部分及び裾部分を背当て板を基準にして背中に折り込むのみであるので、ワイシャツの両側方部を背中側に折り込む品質に一定の限度があった。第３に、ワイシャツの肩部分を引っ張ってクリップに取り付ける工程、一対の肩折りアームが順次回動して袖部分を折り込む工程、裾折りアームが作動して裾部分を折り込む工程を必要とするので、生産性の点でも問題があった。
【０００６】
本発明の課題は、装置の低廉化、折り込み品質の向上及び生産性の向上が図れるシャツ類の包装機を提供することにある。
【課題を解決するための手段】
【０００７】
上記課題を解決するための本発明の請求項１は、シャツ類が掛けられたハンガーを吊るすフックを上端に有する背当て板と、シャツ類の前側を前記背当て板に押し付ける位置決め手段と、折り込まれた袖部分を押さえる袖押さえ手段とを備えたシャツ類の包装機において、前記背当て板の両側に該背当て板に沿って配設された一対の肩裾折りアームと、この一対の肩裾折りアームをそれぞれ前記背当て板の前方側より後方側に移動させる一対の肩折りアーム移動駆動手段と、前記一対の肩裾折りアームをそれぞれ前記背当て板の裏面側に回転させる一対の肩折りアーム回転駆動手段とを有することを特徴とする。
【０００８】
上記課題を解決するための本発明の請求項２は、前記請求項１において、前記肩裾折りアームは、上方部に前記背当て板の側面と平行に伸びた肩折り部と、この肩折り部の下方の裾折り部とからなることを特徴とする。
【発明の効果】
【０００９】
背当て板の両側に設けた一対の肩裾折りアームと、この肩裾折りアームを背当て板の前方側より背当て板の後方側に移動させる肩折りアーム移動駆動手段と、肩裾折りアームを背当て板の裏面側に回転させる一対の肩折りアーム回転駆動手段よりワイシャツの袖部分及び裾部分を折り込むことができ、従来より簡素化された構造よりなるので、装置の低廉化が図れ、また少ない工程によって折り込むことができるので、生産性の向上が図れる。また肩裾折りアームは、背当て板の側面に沿って移動可能に設けられ、上部に肩折りアームを、この肩折りアームの下方に裾折り部を有する。そこで、肩裾折りアームを背当て板の前方側より背当て板の後方側に移動させることにより、ワイシャツの袖部分及び裾部分を背当て板の後方に移動させ、その後に肩裾折りアームによってワイシャツの袖部分及び裾部分を背当て板の裏面側に折り込むので、袖部分及び裾部分が完全に背当て板の裏面側に折り込められ、折り込み品質が向上する。
【発明を実施するための最良の形態】
【００１０】
本発明の一実施の形態を図１乃至図８により説明する。まず、従来技術とほぼ同じ構造部分を図１により説明する。チューブ状フィルム１の左右端部をチャックしてハンガー２に掛けられたワイシャツ３の長さに合わせてフィルム１を下降させるためのフィルムチャック部４と、ワイシャツ３を覆ったフィルム１の上部をシール及びカットするための図示しないシールカット機構部と、フィルム１の端部を開口させる図示しないフィルム端部開口部とを備えている。ベース板５には、前後に固定板６、７が固定されており、固定板６、７にはスライド軸８が固定されている。スライド軸８にはスライダ９が摺動自在に嵌挿されており、スライダ９は図示しない駆動手段でスライド軸８に沿って前後移動させられる。
【００１１】
スライダ９上には、前方側に背当て板１５が立設されており、背当て板１５の上端にはフック１６が設けられている。フック１６には、ワイシャツ３が掛けられたハンガー２が吊るされる。またスライダ９には、背当て板１５の後方に上端に袖押さえ部１７を有する袖押さえアーム１８が前後方向に回動自在に支承されている。袖押さえアーム１８は、スライダ９に固定された袖押さえ用シリンダ１９の作動ロッドに回転自在に連結されている。固定板６に固定された支軸２２には位置決めアーム２１が前後方向に回動自在に支承されている。位置決めアーム２１には、上端にローラよりなる位置決め部材２３が設けられ、下端には前方側に伸びたペダル２４が固定されている。そして、位置決め部材２３が前記背当て板１５に圧接するように、位置決めアーム２１は図示しないばねで付勢されている。以上は、従来と同じ構造である。
【００１２】
次に本実施の形態の特徴とする構造について説明する。図１及び図２に示すように、背当て板１５の両側には、下方から上方に伸びた一対の肩裾折りアーム３０Ａ、３０Ｂが配設されており、肩裾折りアーム３０Ａ、３０Ｂは、上方部に背当て板１５の側面と平行に伸びた肩折りアーム３１と、この肩折りアーム３１の下方の裾折り部３２とからなっている。肩裾折りアーム３０Ａ、３０Ｂは、背当て板１５の側面と平行に回動できるように、それぞれ支軸３３、３３に回転自在に支承されており、支軸３３の両端は支持板３４、３５の一端側に固定されている。肩裾折りアーム３０Ａ、３０Ｂには、該肩裾折りアーム３０Ａ、３０Ｂをそれぞれ支軸３３、３３を中心として回動させるように、肩折りアーム移動駆動用シリンダ３６、３６の作動ロッドが回転自在に連結されており、肩折りアーム移動駆動用シリンダ３６は支持板３４、３５に固定された連結棒３７に回転自在に支承されている。
【００１３】
支持板３４、３５の下方はブロック４０に固定されており、ブロック４０は垂直に伸びた支軸４１にブッシュ４２を介して回転自在に支承されている。支軸４１は、前記ベース板５上に固定されている。肩裾折りアーム３０Ａ、３０Ｂの肩折りアーム３１を背当て板１５の背面側に回動させるように、ブロック４０には肩折りアーム回転駆動用シリンダ４３の作動ロッドが回転自在に連結されており、肩折りアーム回転駆動用シリンダ４３はベース板５に回転自在に取付けられている。
【００１４】
次に作用について説明する。ワイシャツ３をハンガー２に掛け、ワイシャツ３の上部の第１ボタンを止める。図１及び図２において、ペダル２４を足で踏んだ状態、即ち位置決めアーム２１が図１（ａ）に２点鎖線で示す状態で、前記ワイシャツ３が掛けられたハンガー２をフック１６に吊るし、ワイシャツ３の前側のセンターを合わせる。そして、ペダル２４を踏んでいた足を離すと、位置決めアーム２１は実線で示すように回動し、ワイシャツ３を背当て板１５に押し付ける。以上は従来と同じである。
【００１５】
次に一対の肩折りアーム移動駆動用シリンダ３６、３６の作動ロッドが突出し、肩裾折りアーム３０Ａ、３０Ｂは支軸３３を中心として回動し、図３に示すように背当て板１５の後方側に移動する。これにより、背当て板１５の外側のワイシャツ３部分である袖部分及び裾部分を背当て板１５より後方側に移動させる。
【００１６】
次に一方の肩裾折りアーム３０Ａ側の肩折りアーム回転駆動用シリンダ４３の作動ロッドが図２及び図３の状態より図４及び図５に示すように引っ込む。これにより、肩裾折りアーム３０Ａ側のブロック４０は支軸４１を中心として図２の状態より図５に示すように左回り方向に９０度回転する。即ち、ブロック４０と一体的な部品である肩裾折りアーム３０Ａ、支軸３３、支持板３４、３５、肩折りアーム移動駆動用シリンダ３６、連結棒３７も共に回転する。これにより、肩裾折りアーム３０Ａが背当て板１５の裏面側に回転し、ワイシャツ３の一方の袖部分及び裾部分を肩裾折りアーム３０Ａの肩折りアーム３１及び裾折り部３２によって背当て板１５の裏面側に折り込む。続いて他方の肩裾折りアーム３０Ｂ側の肩折りアーム回転駆動用シリンダ４３の作動ロッドが同様に引っ込む。これにより、肩裾折りアーム３０Ｂが背当て板１５の裏面側に回転し、ワイシャツ３の他方の袖部分及び裾部分を肩裾折りアーム３０Ｂの肩折りアーム３１及び裾折り部３２によって背当て板１５の裏面側に折り込む。従って、肩裾折りアーム３０Ａで折り込んだ袖部分及び裾部分に肩裾折りアーム３０Ｂで折り込んだ袖部分及び裾部分が重ね合わされる。
【００１７】
次に図６に示すように、袖押さえ用シリンダ１９が作動して袖押さえアーム１８が回動し、袖押さえ部１７で折り込まれた袖部分を押さえる。続いて一対の肩折りアーム移動駆動用シリンダ３６、３６の作動ロッドが前記と逆に引っ込み、図７に示すように、肩裾折りアーム３０Ａ、３０Ｂは折り込んだ袖部分及び裾部分より離れる。この場合、折り込まれた袖部分は袖押さえ部１７で押さえられているので、前記したように肩裾折りアーム３０Ａ、３０Ｂを抜いても折り込んだ袖部分の形が崩れない。
【００１８】
その後は従来と同様に、図示しないスライダ用シリンダが作動してスライダ９が後方側に移動し、図８に示すように、フック１６が開口したフィルム１の下方に位置する。次にフィルム１の端部をチャックしているフィルムチャック部４が下降してフィルム１をワイシャツ３に被せる。そして、袖押さえ用シリンダ１９が前記と逆方向に作動し、袖押さえアーム１８の袖押さえ部１７は袖部分より離れる。その後、フィルムチャック部４は再び下降し、ワイシャツ３にフィルム１が被せられる。次に図示しないシールカット機構部が作動してフィルム１のシールカットが行われる。続いてフィルムチャック部４がフィルム１をチャックしたまま再下降し、カットされたフィルム１を引きちぎって引き下げ、フィルム１のシールされた部分をワイシャツ３の肩の部分まで下げる。これにより、包装が完了する。包装が完了したワイシャツ３が掛けられたハンガー２をフック１６より取り外す。
【００１９】
このように、背当て板１５の両側に設けた一対の肩裾折りアーム３０Ａ、３０Ｂと、この肩裾折りアーム３０Ａ、３０Ｂを背当て板１５の前方側より背当て板１５の後方側に移動させる肩折りアーム移動駆動用シリンダ３６、３６と、肩裾折りアーム３０Ａ、３０Ｂを背当て板１５の裏面側に回転させる一対の肩折りアーム回転駆動用シリンダ４３、４３よりワイシャツ３の袖部分及び裾部分を折り込むことができ、従来より簡素化された構造よりなるので、装置の低廉化が図れ、また少ない工程によって折り込むことができるので、生産性の向上が図れる。また肩裾折りアーム３０Ａ、３０Ｂは、背当て板１５の側面に沿って移動可能に設けられ、上部に肩折りアーム３１を、この肩折りアーム３１の下方に裾折り部３２を有する。そこで、肩裾折りアーム３０Ａ、３０Ｂを背当て板１５の前方側より背当て板１５の後方側に移動させることにより、ワイシャツ３の袖部分及び裾部分を背当て板１５の後方に移動させ、その後に肩裾折りアーム３０Ａ、３０Ｂによってワイシャツ３の袖部分及び裾部分を背当て板１５の裏面側に折り込むので、袖部分及び裾部分が完全に背当て板１５の裏面側に折り込められ、折り込み品質が向上する。
【００２０】
上記実施の形態においては、肩裾折りアーム３０Ａ、３０Ｂを支軸３３を中心として回動自在に設けたが、平行移動させるように構成してもよい。
【図面の簡単な説明】
【００２１】
【図１】本発明のシャツ類の包装機の一実施の形態を示し、（ａ）は側面図、（ｂ）は要部の正面図である。
【図２】図１（ｂ）の要部のＡ−Ａ線断面拡大図である。
【図３】図１の次工程の状態を示し、（ａ）は側面図、（ｂ）は要部の正面図である。
【図４】図３の次工程の状態を示し、（ａ）は側面図、（ｂ）は要部の正面図である。
【図５】図４（ｂ）の要部のＢ−Ｂ線断面拡大図である。
【図６】図４の次工程の状態を示し、（ａ）は側面図、（ｂ）は要部の正面図である。
【図７】図６の次工程の状態を示し、（ａ）は側面図、（ｂ）は要部の正面図である。
【図８】図７の次工程の状態を示し、（ａ）は側面図、（ｂ）は要部の正面図である。
【符号の説明】
【００２２】
１    フィルム
２    ハンガー
３    ワイシャツ
１５    背当て板
１６    フック
１７    袖押さえ部
１８    袖押さえアーム
１９    袖押さえ用シリンダ
２１    位置決めアーム
２３    位置決め部材
３０Ａ、３０Ｂ    肩裾折りアーム
３１    肩折りアーム
３２    裾折り部
３３    支軸
３６    肩折りアーム移動駆動用シリンダ
４１    支軸
４３    肩折りアーム回転駆動用シリンダ
【図１】
2005132408.tif 000003
【図２】
2005132408.tif 000004
【図３】
2005132408.tif 000005
【図４】
2005132408.tif 000006
【図５】
2005132408.tif 000007
【図６】
2005132408.tif 000008
【図７】
2005132408.tif 000009
【図８】
2005132408.tif 000010